(57)【要約】【課題】長さの異なる複数の母材を切断して商品を生成する場合に、端材がでないような効率的な切断方法を自動で算出して初期表示すること。【解決手段】本実施の形態に係る切断シミュレーション装置は、商品の種類、受注長さ、切りしろ、受注員数を含む受注データを入力する受注データ入力手段と、表示部に表示される画面において、受注データの対象の商品について、在庫データの対象となる商品の長さの異なる複数の母材から受注長さのものを受注員数分切断して商品を生成する場合に、前記複数の母材の端材が少なくなるような効率的な母材毎の引当員数を算出して初期表示を行うシミュレーション手段と、を備えている。【選択図】図２
2020166678.tif 000002
【特許請求の範囲】
【請求項１】
記憶部及び制御部を備えた切断シミュレーション装置であって、
前記記憶部には、
母材について、商品の種類、長さ、及び員数を含む在庫データが格納されており、
前記制御部は、
商品の種類、受注長さ、切りしろ、受注員数を含む受注データを入力する受注データ入力手段と、
表示部に表示される画面において、受注データの対象の商品について、在庫データの対象となる商品の長さの異なる複数の母材から受注長さのものを受注員数分切断して商品を生成する場合に、前記複数の母材の端材が少なくなるような効率的な母材毎の引当員数を算出して初期表示を行うシミュレーション手段と、
を備えたことを特徴とする切断シミュレーション装置。
【請求項２】
前記シミュレーション手段は、
切断数を、対象の母材１本から受注長さを切断可能な数、全数切断時残材長さを、受入員数＞切断数の場合は、全数切断時残材長さ＝（母材の長さ÷（受入長さ＋切りしろ））の余り、受入員数＜切断数の場合は、全数切断時残材長さ＝（母材の長さ−（受入長さ＋切りしろ）×切断数）とした場合に、
対象の在庫データを全量切断時残材長さが小さい順に並び替え、全量切断時残材長さの昇順に、引当員数残が０となるまで切断数を上限として引当員数を順次割り当てることを特徴とする請求項１に記載の切断シミュレーション装置。
【請求項３】
前記引当員数は、オペレータの操作に応じて変更可能であることを特徴とする請求項１又は請求項２に記載の切断シミュレーション装置。
【請求項４】
前記商品は、鋼材であることを特徴とする請求項１〜請求項３のいずれか１つに記載の切断シミュレーション装置。
【請求項５】
制御部及び記憶部を備えた情報処理装置に実行させるための切断シミュレーション方法であって、
前記記憶部には、
母材について、商品の種類、長さ、及び員数を含む在庫データが格納されており、
前記制御部で実行される、
商品の種類、受注長さ、切りしろ、受注員数を含む受注データを入力する受注データ入力ステップと、
表示部に表示される画面において、受注データの対象の商品について、在庫データの対象となる商品の長さの異なる複数の母材から受注長さのものを受注員数分切断して商品を生成する場合に、前記複数の母材の端材が少なくなるような効率的な母材毎の引当員数を算出して初期表示を行うシミュレーションステップと、
を含むことを特徴とする切断シミュレーション方法。
【請求項６】
制御部及び記憶部を備えた情報処理装置に実行させるための切断シミュレーションプログラムであって、
前記記憶部には、
母材について、商品の種類、長さ、及び員数を含む在庫データが格納されており、
前記制御部において、
商品の種類、受注長さ、切りしろ、受注員数を含む受注データを入力する受注データ入力ステップと、
表示部に表示される画面において、受注データの対象の商品について、在庫データの対象となる商品の長さの異なる複数の母材から受注長さのものを受注員数分切断して商品を生成する場合に、前記複数の母材の端材が少なくなるような効率的な母材毎の引当員数を算出して初期表示を行うシミュレーションステップと、
を実行させるための切断シミュレーションプログラム。
【発明の詳細な説明】
【技術分野】
【０００１】
本発明は、切断シミュレーション装置、切断シミュレーション方法、及び切断シミュレーションプログラムに関する。
【背景技術】
【０００２】
従来、例えば、鉄鋼業において、鋼材を切断して商品を生成するシステムとして特許文献１がある。かかる特許文献１のシステムでは、サーバのＣＰＵが、生産管理情報内の注文情報と生産情報とから不足品種を抽出し、品質実績情報に記録された部位ごとの品質実績と品種マスタ情報に記録された製品の品種ごとの規格値と比較し、不合格となった製品の部位ごとの品質実績情報と前記抽出された不足品種ごとの規格値とを比較し、前記不合格となった製品の部位が合格となる品種を引当可能品種として抽出する。
【先行技術文献】
【特許文献】
【０００３】
【特許文献１】特開２００９−１６３４５７号公報
【発明の概要】
【発明が解決しようとする課題】
【０００４】
しかしながら、特許文献１では、長さの異なる複数の母材を切断して商品を生成する場合に、端材がでないような効率的に切断方法を自動で算出して初期表示することに関して何等記載されていない。
【０００５】
本発明は、上記問題点に鑑みてなされたものであって、長さの異なる複数の母材を切断して商品を生成する場合に、端材がでないような効率的な切断方法を自動で算出して初期表示することが可能な切断シミュレーション装置、切断シミュレーション方法、及び切断シミュレーションプログラムを提供することを目的とする。
【課題を解決するための手段】
【０００６】
上述した課題を解決し、目的を達成するために、本発明は、記憶部及び制御部を備えた切断シミュレーション装置であって、前記記憶部には、母材について、商品の種類、長さ、及び員数を含む在庫データが格納されており、前記制御部は、商品の種類、受注長さ、切りしろ、受注員数を含む受注データを入力する受注データ入力手段と、表示部に表示される画面において、受注データの対象の商品について、在庫データの対象となる商品の長さの異なる複数の母材から受注長さのものを受注員数分切断して商品を生成する場合に、前記複数の母材の端材が少なくなるような効率的な母材毎の引当員数を算出して初期表示を行うシミュレーション手段と、を備えたことを特徴とする。
【０００７】
また、本発明の好ましい態様によれば、前記シミュレーション手段は、切断数を、対象の母材１本から受注長さを切断可能な数、全数切断時残材長さを、受入員数＞切断数の場合は、全数切断時残材長さ＝（母材の長さ÷（受入長さ＋切りしろ））の余り、受入員数＜切断数の場合は、全数切断時残材長さ＝（母材の長さ−（受入長さ＋切りしろ）×切断数）とした場合に、対象の在庫データを全量切断時残材長さが小さい順に並び替え、全量切断時残材長さの昇順に、引当員数残が０となるまで切断数を上限として引当員数を順次割り当てることにしてもよい。
【０００８】
また、本発明の好ましい態様によれば、前記引当員数は、オペレータの操作に応じて変更可能であることにしてもよい。
【０００９】
また、本発明の好ましい態様によれば、前記商品は、鋼材であることにしてもよい。
【００１０】
また、上述した課題を解決し、目的を達成するために、本発明は、制御部及び記憶部を備えた情報処理装置に実行させるための切断シミュレーション方法であって、前記記憶部には、母材について、商品の種類、長さ、及び員数を含む在庫データが格納されており、前記制御部で実行される、商品の種類、受注長さ、切りしろ、受注員数を含む受注データを入力する受注データ入力ステップと、表示部に表示される画面において、受注データの対象の商品について、在庫データの対象となる商品の長さの異なる複数の母材から受注長さのものを受注員数分切断して商品を生成する場合に、前記複数の母材の端材が少なくなるような効率的な母材毎の引当員数を算出して初期表示を行うシミュレーションステップと、を含むことを特徴とする。
【００１１】
また、上述した課題を解決し、目的を達成するために、本発明は、制御部及び記憶部を備えた情報処理装置に実行させるための切断シミュレーションプログラムであって、前記記憶部には、母材について、商品の種類、長さ、及び員数を含む在庫データが格納されており、前記制御部において、商品の種類、受注長さ、切りしろ、受注員数を含む受注データを入力する受注データ入力ステップと、表示部に表示される画面において、受注データの対象の商品について、在庫データの対象となる商品の長さの異なる複数の母材から受注長さのものを受注員数分切断して商品を生成する場合に、前記複数の母材の端材が少なくなるような効率的な母材毎の引当員数を算出して初期表示を行うシミュレーションステップと、を実行させるための切断シミュレーションプログラムであることを特徴とする。
【発明の効果】
【００１２】
本発明によれば、長さの異なる複数の母材を切断して商品を生成する場合に、端材がでないような効率的に切断方法を自動で算出して初期表示することが可能となるという効果を奏する。
【図面の簡単な説明】
【００１３】
【図１】図１は、本実施の形態のデータフローの概略を説明するための図である。
【図２】図２は、本実施の形態に係る切断シミュレーション装置の構成の一例を示すブロック図である。
【図３】図３は、受注データ及び在庫データの一例を示す図である。
【図４】図４は、在庫引当シミュレーション処理による引当員数の自動算出を説明するためのフローチャートである。
【図５】図５は、引当員数の自動算出のサンプルデータを示す図である。
【図６】図６は、モニタに表示される在庫引当シミュレーション画面の表示例を示す図である。
【図７】図７は、残材長さ１及び残材長さ２を説明するための図である。
【図８】図８は、受入データ、払出データ、残材データの一例を示す図である。
【発明を実施するための形態】
【００１４】
本発明の実施形態を図面に基づいて詳細に説明する。なお、本発明は本実施形態により限定されるものではない。  
【００１５】
［１．概要］
例えば、鉄鋼業界では、棒材・板材等の鋼材を切断加工する場合、定尺の母材だけでなく、複数の長さの母材から得意先から指定された長さで切断するケースが多々発生する。毎回、様々な長さの母材から切断する際に、如何に母材の端材がでないかを効率よく計算するのは、現場の職人の経験や感に頼っており、システム化するのが困難であった。
【００１６】
そこで、本実施の形態では、長さの異なる複数の母材を切断して商品を生成する場合に、複数の母材の端材が少なくなるような効率的な母材毎の引当員数を自動で算出して初期表示を行うものである。これにより、熟練者でなくても効率的な母材の切断を行うことが可能となる。なお、本実施の形態では、鋼材の切断について説明するが、本発明はこれに限られるものではなく他の材料についても適用可能である。
【００１７】
図１は、本実施の形態のデータフローの概略を説明するための図である。在庫データ（Ｐ３）は、受入データ（Ｐ１）と払出データ（Ｐ２）に基づいて更新される。受注データ（Ｐ４）は、欲しい商品の長さ・切りしろ・員数・重量の情報を保持している。在庫引当シミュレーション処理（Ｐ５）では、受注データと在庫データに基づいて、複数の母材を効率的に切断するロジックである在庫引当シミュレーションロジックを使用して、効率的な母材の切断方法（母材の引当員数）を自動計算した結果を初期表示（Ｐ６）する。引当員数は、手入力での変更も可能である。
【００１８】
［２．構成］
本実施形態に係る切断シミュレーション装置１００の構成の一例について、図２を参照して説明する。図２は、本実施の形態に係る切断シミュレーション装置１００の構成の一例を示すブロック図である。
【００１９】
切断シミュレーション装置１００は、例えば、市販のデスクトップ型パーソナルコンピュータである。なお、切断シミュレーション装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２０】
切断シミュレーション装置１００は、制御部１０２と通信インターフェース部１０４と記憶部１０６と入出力インターフェース部１０８と、を備えている。切断シミュレーション装置１００が備えている各部は、任意の通信路を介して通信可能に接続されている。
【００２１】
通信インターフェース部１０４は、ルータ等の通信装置および専用線等の有線または無線の通信回線を介して、切断シミュレーション装置１００をネットワーク３００に通信可能に接続する。通信インターフェース部１０４は、他の装置と通信回線を介してデータを通信する機能を有する。ここで、ネットワーク３００は、切断シミュレーション装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００２２】
入出力インターフェース部１０８には、入力装置１１２および出力装置１１４が接続されている。出力装置１１４には、モニタ（タッチパネルを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４またはプリンタ１１４とし、入力装置１１２をキーボード１１２またはマウス１１２として記載する場合がある。また、「出力」とは、出力装置１１４で出力すること等をいい、例えば、モニタ１１４への表示出力やプリンタ１１４での印刷出力することの他、外部にデータを送信することを含む。
【００２３】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２４】
記憶部１０６は、在庫データファイル１０６ａと、受注データファイル１０６ｂと、受入データファイル１０６ｃと、払出データファイル１０６ｄと、残材データファイル１０６ｅとを備えている。
【００２５】
在庫データファイル１０６ａは、在庫データを格納するためのファイルである。在庫データは、例えば、母材についての、商品を識別するための商品コード、長さ、ロット番号、員数（本数）、重量（ｋｇ）、及び原価単価のデータを含んでいてもよい（図３（Ｃ）参照）。
【００２６】
受注データファイル１０６ｂは、受注データを格納するためのファイルである。受注データは、例えば、商品コード、長さ（受注長さ）、切りしろ、員数（受注員数：本数）、及び重量（ｋｇ）を含んでいてもよい（図３（Ａ）参照）。
【００２７】
受入データファイル１０６ｃは、受入データを格納するためのデータである。受入データは、例えば、ロット番号、長さ、員数（本数）、重量（ｋｇ）、単価数量、及び母材と紐付けるための母材ロット番号を含んでいてもよい（図８（Ａ）参照）。
【００２８】
払出データファイル１０６ｄは、払出データを格納するためのデータである。払出データは、例えば、ロット番号、長さ、員数（本）、及び重量（ｋｇ）を含んでいてもよい（図８（Ｂ）参照）。
【００２９】
残材データファイル１０６ｅは、残材データを格納するためのファイルである。残材データは、例えば、ロット番号、長さ、員数（本）、重量（ｋｇ）及び母材と紐付けるための母材ロット番号を含んでいてもよい（図８（Ｃ）参照）。
【００３０】
制御部１０２は、切断シミュレーション装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、在庫データ処理部１０２ａと、受注データ処理部１０２ｂと、シミュレーション処理部１０２ｃと、受入データ作成部１０２ｄと、払出データ作成部１０２ｅと、残材データ作成部１０２ｆと、画面表示制御部１０２ｇを備えている。
【００３１】
在庫データ処理部１０２ａは、例えば、モニタ１１４に表示される不図示の入力画面上でのオペレータの操作等に応じて、在庫データの入力・更新を行って在庫データファイル１０６ａに格納する。
【００３２】
受注データ処理部１０２ｂは、例えば、モニタ１１４に表示される不図示の入力画面上でのオペレータの操作等に応じて、受注データの入力を行って受注データファイル１０６ｂに格納する。
【００３３】
シミュレーション処理部１０２ｃは、例えば、モニタ１１４に表示される在庫引当シミュレーション画面において、在庫引当シミュレーションを実行するものであり、受注データの対象の商品について、在庫データの対象となる商品の長さの異なる複数の母材から受注長さのものを受注員数分切断して商品を生成する場合に、在庫引当シミュレーション処理を実行して、前記複数の母材の端材が少なくなるような効率的な母材毎の引当員数を算出して初期表示を行う。また、引当員数に基づいて、各種のデータを算出して表示してもよい。
【００３４】
シミュレーション処理部１０２ｃは、切断数を、対象の母材１本から受注長さを切断可能な数、全数切断時残材長さを、受入員数＞切断数の場合は、全数切断時残材長さ＝（母材の長さ÷（受入長さ＋切りしろ））の余り、受入員数＜切断数の場合は、全数切断時残材長さ＝（母材の長さ−（受入長さ＋切りしろ）×切断数）とした場合に、対象の在庫データを全量切断時残材長さが小さい順に並び替え、全量切断時残材長さの昇順に、引当員数残が０となるまで切断数を上限として引当員数を順次割り当てることにしてもよい。
【００３５】
また、引当員数は、オペレータの操作に応じて変更可能であることにしてもよい。
【００３６】
受入データ作成部１０２ｄは、在庫引当シミュレーションの結果に基づいて、生成される商品について、ロット番号、長さ、員数、重量、単価数量、及び母材と紐付けるための母材ロット番号を含む受入データを作成して、受入データファイル１０６ｃに格納する。
【００３７】
払出データ作成部１０２ｅは、在庫引当シミュレーションの結果に基づいて、在庫を引き当てた母材について、ロット番号、長さ、員数、及び重量を含む払出データを作成して、払出データファイル１０６ｄに格納する。
【００３８】
残材データ作成部１０２ｆは、在庫引当シミュレーションの結果に基づいて、母材の残材について、ロット番号、長さ、員数、重量、及び母材と紐付けるための母材ロット番号を含む残材データを作成して、残材データファイル１０６ｅに格納する。
【００３９】
画面表示制御部１０２ｇは、モニタ１１４に表示する入力画面（例えば、在庫入力画面、受注入力画面、在庫引当シミュレーション画面）等の各種画面の表示及び画面上での入力の受付を制御する。
【００４０】
［３．具体例］
図２〜図８を参照して、本実施の形態における切断シミュレーション装置１００の制御部１０２の処理の具体例を説明する。
【００４１】
図２〜図８を参照して、本実施の形態における切断シミュレーション装置１００の処理の具体例を説明する。図３〜図８は、本実施の形態における切断シミュレーション装置１００の処理の具体例を説明するための図である。図３は、受注データ及び在庫データの一例を示す図である。図４は、在庫引当シミュレーション処理による引当員数の自動算出を説明するためのフローチャートである。図５は、引当員数の自動算出のサンプルデータを示す図である。図６は、モニタ１１４に表示される在庫引当シミュレーション画面の表示例を示す図である。図７は、残材長さ１及び残材長さ２を説明するための図である。図８は、受入データ、払出データ、残材データの一例を示す図である。
【００４２】
（在庫データ及び受注データ）
図３（Ａ）は、受注データの一例を示している。受注データには、欲しい商品の欲しいさ長さ、切りしろの長さ、重量が設定される。図３（Ａ）に示す受注データの例では、商品コード「ＳＣ４５Ｃ／０／５０」、長さ「３００」、切りしろ「３」、員数（本）「１１」、重量（ｋｇ）「３，３００」となっている。
【００４３】
図３（Ｂ）は、在庫データの元となる受入と払出のデータを示しており、図３（Ｃ）は、受注が発生した結果の在庫データを示している。図３（Ｃ）に示す在庫データの例では、１行目が、商品コード「ＳＣ４５Ｃ／０／５０」、長さ「６，０００」、ロット番号「０００１」、員数（本）「１」、重量（ｋｇ）「６，０００」、２行目が、商品コード「ＳＣ４５Ｃ／０／５０」、長さ「１，２００」、ロット番号「０００２」、員数「３」、重量（ｋｇ）「３，６００」、３行目が、商品コード「ＳＣ４５Ｃ／０／５０」、長さ「１，３００」、ロット番号「０００３」、員数「８」、重量（ｋｇ）「１０，４００」、４行目が、商品コード「ＳＣ４５Ｃ／０／５０」、長さ「１，４００」、ロット番号「０００４」、員数「２」、重量（ｋｇ）「２，８００」となっている。
【００４４】
（在庫引当シミュレーション処理）
つぎに、在庫引当シミュレーション処理による引当員数の算出方法の手順について説明する。シミュレーション処理部１０２ｃは、受注データの対象の商品について、在庫データの対象となる商品の長さの異なる複数の母材から受注長さのものを受注員数分切断して商品を生成する場合に、複数の母材の端材が少なくなるような効率的な母材毎の引当員数を算出して初期表示を行う。
【００４５】
具体的には、シミュレーション処理部１０２ｃは、切断数を、対象の母材１本から受注長さを切断可能な数、全数切断時残材長さを、受入員数＞切断数の場合は、全数切断時残材長さ＝（母材の長さ÷（受入長さ＋切りしろ））の余り、受入員数＜切断数の場合は、全数切断時残材長さ＝（母材の長さ−（受入長さ＋切りしろ）×切断数）とした場合に、対象の在庫データを全量切断時残材長さが小さい順に並び替え、全量切断時残材長さの昇順に、引当員数残が０となるまで切断数を上限として引当員数を順次割り当てる。
【００４６】
図４は、引当員数の自動算出のフローを示す図である。図４において、まず、対象の在庫データの全数切断時残材長さを算出する（ステップＳ１）。具体的には、（１）受入員数＞切断数の場合は、全数切断時残材長さを、全数切断時残材長さ＝（在庫長さ÷（受入長さ＋切りしろ））の余りで算出する。（２）受入員数＜切断数の場合は、全数切断時残材長さを、全数切断時残材長さ＝（在庫長さ−（受入長さ＋切りしろ）×切断数）で算出する。
【００４７】
対象の在庫データを全量切断時残材長さが小さい順に並び替え（ステップＳ２）、引当員数残ｉ＝受入員数Ｎを初期設定する（ステップＳ３）。
【００４８】
つづいて、在庫データの全量切断時残材長さが小さい順に引当対象（対象の行）を設定する（ステップＳ４）。
【００４９】
対象の在庫データの切断数−引当員数残ｉ≧０であるか否かを判断する（ステップＳ５）。切断数−引当員数残ｉ≧０の場合は（ステップＳ５の「Ｙｅｓ」）、引当員数Ｓ＝引当員数残ｉとする（ステップＳ６）。切断数−引当員数残ｉ≧０でない場合（ステップＳ５の「Ｎｏ」）、すなわち、切断数−引当員数残ｉ＜０の場合は、引当員数Ｓ＝切断数とする（ステップＳ７）。
【００５０】
つぎに、引当員数残ｉ＝引当員数残ｉ−引当員数Ｓとする（ステップＳ８）。この後、引当員数残ｉ＝０であるか否かを判断する（ステップＳ９）。引当員数残ｉ＝０である場合には（ステップＳ９の「Ｙｅｓ」）、当該フローを終了する。他方、引当員数残ｉ＝０でない場合には（ステップＳ９の「Ｎｏ」）、次の行に移行して（ステップＳ１０）、引当対象を設定し（ステップＳ４）、引当員数残ｉ＝０となるまで、Ｓ４〜Ｓ１０の処理を繰り返し実行する。
【００５１】
図５のサンプルデータを参照して、図３（Ａ）の受注データと図３（Ｂ）の在庫データを使用した場合の引当員数の計算例を説明する。図５（Ａ）は、全数切断時残材長さの算出（図４のステップＳ１）の計算結果の例を示している。在庫データのロット番号「０００１」は、長さ「６，０００」、切断数「１９」、全量切断時残材長さ「２，６６７」、ロット番号「０００２」は、長さ「１，２００」、切断数「３」、全量切断時残材長さ「２９１」、ロット番号「０００３」は、長さ「１，３００」、切断数「４」、全量切断時残材長さ「８８」、ロット番号「０００４」は、長さ「１，３００」、切断数「４」、全量切断時残材長さ「１８８」となる。
【００５２】
図５（Ｂ）は、全数切断時残材長さが小さい順に並べ替えたもの（図４のステップＳ２）を示している。図５（Ｃ）は、引当員数の算出結果（図４のステップＳ３〜Ｓ１０）を示している。まず、引当員数残ｉ＝受入員数１１に設定する（図４のステップ３）。図５（Ｂ）の１行目から順に引当員数の算出を行う。まず、１行目のロット番号「０００３」を引当対象とする（図４のステップＳ４）。切断数４−引当員数残１１＜０であるので（図５のステップＳ５の「Ｎｏ」）、引当員数＝切断数４（ステップＳ７）とし、引当員数残ｉ＝引当員数残１１−引当員数４＝７（ステップＳ８）とする。
【００５３】
引当員数残ｉ＝７≠０であるので（ステップＳ９の「Ｎｏ」）、次の２行目のロット番号「０００４」を引当対象とする（ステップＳ１０，Ｓ４）。切断数４−引当員数残７＜０であるので（ステップＳ５の「Ｎｏ」）、引当員数＝切断数4（ステップＳ７）とし、引当員数残ｉ＝引当員数残７−引当員数４＝３とする（ステップＳ８）。
【００５４】
引当員数残ｉ＝３≠０であるので（ステップＳ９の「Ｎｏ」）、次の３行目のロット番号「０００２」を引当対象とする（ステップＳ１０，Ｓ４）。切断数３−引当員数残３≧０であるので（ステップＳ５の「Ｙｅｓ」）、引当員数＝切断数３（ステップＳ６）とし、引当員数残ｉ＝引当員数残３−引当員数３＝０とする（ステップＳ８）。引当員数残ｉ＝０であるので（ステップＳ９の「Ｙｅｓ」）、当該処理を終了する。
【００５５】
以上により、図５（Ｃ）に示すように、ロット番号「０００３」の引当員数「４」、ロット番号「０００４」の引当員数「４」、ロット番号「０００２」の引当員数「３」、ロット番号「０００１」の引当員数「０」となる。
【００５６】
（在庫引当シミュレーション画面）
図６に示す在庫引当シミュレーション画面４００の例では、受注データが表示されるエリア４０１と、在庫引当を行うためのエリア４０２とを備えている。シミュレーション処理部１０２Ｃは、エリア４０１，４０２の項目について、オペレータの操作に応じてデータを表示し、例えば、在庫データファイル１０６ａや受注データファイル１０６ｂから読み出してデータを表示したり、以下のような計算を行って計算結果（データ）を表示する。
【００５７】
エリア４０１では、受注データの「商品コード」、「長さ」、「切りしろ」、「員数（本）、重量（ｋｇ）」の項目が表示される。エリア４０２では、在庫データと、在庫引当に関係するデータや計算結果が表示される。エリア４０２では、在庫データの「ロット番号」、「長さ」、「員数（本）」、「現在重量（ｋｇ）」の項目に加えて、「切断数」、「引当員数」、「重量（ｋｇ）」、「払出員数」、「払出重量」、「単価数量」、「残材長さ１」、「残材長さ２」，「単価重量」の項目が表示される。
【００５８】
「切断数」は、上述したように、母材（在庫）１本から商品を何本とれるかを示しており、切断数＝商品変動特性数値÷(受入長さ＋切りしろ)となる。「切断数」は、在庫データ及び受注データに基づいて計算されて自動表示される。「引当員数」は、各母材に受注商品を引き当てる員数（本数）を示しており、上述した計算方法で計算されて自動表示される。オペレータが「引当員数」を変更することも可能である。
【００５９】
「重量」は、取った重量の合計を示すものであり、重量＝単重×((受入長さ)÷在庫長さ)×員数である。「払出員数」は在庫から何本払出されるかを示すものであり、払出員数＝(員数÷(在庫長さ÷(受入長さ＋切りしろ))である。小数点第一位で切り上げる。
【００６０】
「払出重量」は、在庫から何ｋｇ払出されるかを示すもので、「払出重量」＝単重×払出員数である。「単価数量」は、切りしろを考慮した場合に原価として払出される重量であり、「単価数量」＝単重×((受入長さ＋切りしろ)÷在庫長さ)×員数である。「単価重量」は母材の１本当たりの重量である。
【００６１】
残材長さ１は、母材（在庫）の長さから受入の長さ×員数分を引いた長さの短い方、残材長さ２は、母材（在庫）の長さから受入の長さ×員数分を引いた長さの長い方である。
例えば、図７に示すように、母材の１本目から２本切断し、母材の２本目から１本切断した場合は、母材の１本目の方が残材の長さが短くなるので、「残材長さ１」とし、母材の２本目の方が残材の長さが長くなるので、「残材長さ２」とする。
【００６２】
オペレータにより、受注データの商品が指定されると、シミュレーション処理部１０２ｃが、対象の在庫データについて、「切断数」、「引当員数」を算出して表示すると共に、さらに、「重量（ｋｇ）」、「払出員数」、「払出重量」、「単価数量」、「残材長さ１」、「残材長さ２」，「単価重量」を計算して表示する。オペレータが「引当員数」を変更すると、シミュレーション処理部１０２ｃが、「重量（ｋｇ）」、「払出員数」、「払出重量」、「単価数量」、「残材長さ１」、「残材長さ２」，「単価重量」を再計算して表示する。
【００６３】
具体的には、エリア４０１では、「商品コード」が入力されると、「商品コード」をキーとして、受注データファイル１０６ｂの受注データが読み出されて表示される。また、エリア４０２では、「商品コード」をキーとして、在庫データファイル１０６ａの在庫データが読み出されて表示される。
【００６４】
図６に示す例では、エリア４０１において、オペレータにより、商品コード「ＳＣ４５Ｃ／０／５０」が入力されると、長さ「３００」、切りしろ「３」、員数（本）「１１」、重量（ｋｇ）「３，３００」の受注データが読み出されて表示される。すなわち、受注商品は、商品コード「ＳＣ４５Ｃ／０／５０」の長さ「３００」を、１１本、３，３００ｇである。また、エリア４０２では、ロット番号「０００１」〜「０００４」の在庫データが表示される。ロット番号「０００１」〜「０００４」の母材から１１本の受注商品を生成する。
【００６５】
エリア４０２において、上述した方法で引当員数が自動計算されて表示されると共に、払出員数、払出重量、単価数量、残材長さ１、残材長さ２，単価重量が自動計算されて表示される。
【００６６】
図６に示すエリア４０２の例では、１行目は、ロット番号「０００１」、長さ「６，０００」、員数（本）「１」、重量（ｋｇ）「６，０００」、切断数「１９」、引当員数「０」、重量（ｋｇ）「０」、払出員数「０」、払出重量「０」、単価数量「３０３」、残材長さ１「０」、残材長さ２「０」，単価重量「０」となっている。
【００６７】
２行目は、ロット番号「０００２」、長さ「１，２００」、員数「３」、重量（ｋｇ）「３，６００」、切断数「３」、払出員数「３」、重量（ｋｇ）「９００」、払出員数「１」、払出重量「１，２００」、単価数量「９０９」、残材長さ１「２９１」、残材長さ２「０」，単価重量「１，２００」となっている。
【００６８】
３行目は、ロット番号「０００３」、長さ「１，３００」、員数「８」、重量（ｋｇ）「１０，４００」、切断数「４」、払出員数「４」、重量（ｋｇ）「１，２００」、払出員数「１」払出重量「１，３００」、単価数量「１２１２」、残材長さ１「８８」、残材長さ２「０」，単価重量「１，３００」となっている。
【００６９】
４行目は、ロット番号「０００４」、長さ「１，４００」、員数「２」、重量（ｋｇ）「２，８００」、切断数「４」、払出員数「４」、重量（ｋｇ）「１，２００」、払出員数「１」、払出重量「１，４００」、単価数量「１２１２」、残材長さ１「１８８」、残材長さ２「０」，単価重量「１，００」となっている。
【００７０】
図８は、払出データ、受入データ、及び残材データの一例を示している。図８に示す払出データ、受入データ、及び残材データは、例えば、図６の画面で不図示のボタンが押下された場合に表示してもよい。
【００７１】
払出データ作成部１０２ｅは、在庫引当シミュレーションの結果に基づいて、在庫を引き当てた母材について、払出データを作成して、払出データファイル１０６ｄに格納する。図８（Ｂ）は、払出データ（内訳）の一例を示す図である。図８（Ｂ）に示す払出データ（内訳）の例では、１行目は、ロット番号「０００２」、長さ「１，２００」、員数（本）「１」、重量（ｋｇ）「１，２００」、２行目は、ロット番号「０００３」、長さ「１，３００」、員数（本）「１」、重量（ｋｇ）「１，３００」、３行目は、ロット番号「０００４」、長さ「１，４００」、員数（本）「１」、重量（ｋｇ）「１４００」となっている。
【００７２】
残材データ作成部１０２ｆは、在庫引当のシミュレーション結果に基づいて、在庫を引き当てた母材について、残材データを作成して、残材データファイル１０６ｅに格納する。残材データは、母材ロッド番号を保持することで、どの母材（払出データ）から生成されたかを判別可能とする。図８（Ｃ）は、残材データ（内訳）の一例を示す図である。
【００７３】
図８（Ｃ）示す残材データ（内訳）の例では、１行目は、ロット番号「０００８」、長さ「２９１」、員数（本）「１」、重量（ｋｇ）「２９１」、母材ロット番号「０００２」、２行目は、ロット番号「０００９」、長さ「８８」、員数（本）「１」、重量（ｋｇ）「８８」、母材ロット番号「０００３」、３行目は、ロット番号「００１０」、員数（本）「１」、重量（ｋｇ）８８」、母材ロット番号「０００３」となっている。
【００７４】
受入データ作成部１０２ｄは、在庫引当シミュレーションの結果に基づいて、生成される商品について受入データを作成して、受入データファイル１０６ｃに格納する。受入データは、母材ロッド番号を保持することで、どの母材（払出データ）から生成されたかを判別可能とする。
【００７５】
図８（Ａ）は、受入データ（内訳）の一例を示す図である。図８（Ａ）に示す受入データ（内訳）の例では、１行目は、ロット番号「０００５」、長さ「３００」、員数（本数）「３」、重量（ｋｇ）「９００」、単価数量「９０９」、母材ロット番号「０００２」、２行目は、ロット番号「０００６」、長さ「３００」、員数（本数）「４」、重量（ｋｇ）「１，２００」、単価数量「１２１２」、母材ロット番号「０００３」、３行目は、ロット番号「０００７」、長さ「３００」、員数（本数）「４」、重量（ｋｇ）「１，２００」、単価数量「１２１２」、母材ロット番号「０００４」となっている。
【００７６】
以上説明したように、本実施の形態によれば、商品の種類、受注長さ、切りしろ、受注員数を含む受注データを入力する受注データ処理部１０２ｂと、モニタ１１４に表示される在庫引当シミュレーション画面において、受注データの対象の商品について、在庫データの対象となる商品の長さの異なる複数の母材から受注長さのものを受注員数分切断して商品を生成する場合に、複数の母材の端材が少なくなるような効率的な母材毎の引当員数を算出して初期表示を行うシミュレーション処理部１０２ｃと、を備えているので、長さの異なる複数の母材を切断して商品を生成する場合に、端材がでないような効率的に切断方法を自動で算出して初期表示することが可能となる。
【００７７】
また、本実施の形態によれば、シミュレーション処理部１０２ｃは、切断数を、対象の母材１本から受注長さを切断可能な数、全数切断時残材長さを、受入員数＞切断数の場合は、全数切断時残材長さ＝（母材の長さ÷（受入長さ＋切りしろ））の余り、受入員数＜切断数の場合は、全数切断時残材長さ＝（母材の長さ−（受入長さ＋切りしろ）×切断数）とした場合に、対象の在庫データを全量切断時残材長さが小さい順に並び替え、全量切断時残材長さの昇順に、引当員数残が０となるまで切断数を上限として引当員数を順次割り当てることとしたので、簡単なアルゴリズムで効率的な引当員数を算出することが可能となる。
【００７８】
［４．他の実施形態］
本発明は、上述した実施形態以外にも、特許請求の範囲に記載した技術的思想の範囲内において種々の異なる実施形態にて実施されてよいものである。  
【００７９】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００８０】
また、本明細書中や図面中で示した処理手順、制御手順、具体的名称、各処理の登録データや検索条件等のパラメータを含む情報、画面例、データベース構成については、特記する場合を除いて任意に変更することができる。  
【００８１】
また、切断シミュレーション装置１００に関して、図示の各構成要素は機能概念的なものであり、必ずしも物理的に図示の如く構成されていることを要しない。  
【００８２】
例えば、切断シミュレーション装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて切断シミュレーション装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。  
【００８３】
また、このコンピュータプログラムは、切断シミュレーション装置１００に対して任意のネットワークを介して接続されたアプリケーションプログラムサーバに記憶されていてもよく、必要に応じてその全部または一部をダウンロードすることも可能である。  
【００８４】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００８５】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、本実施形態に示した各装置において記録媒体を読み取るための具体的な構成および読み取り手順ならびに読み取り後のインストール手順等については、周知の構成や手順を用いることができる。  
【００８６】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００８７】
また、切断シミュレーション装置１００は、既知のパーソナルコンピュータまたはワークステーション等の情報処理装置として構成してもよく、また、任意の周辺装置が接続された当該情報処理装置として構成してもよい。また、切断シミュレーション装置１００は、当該装置に本実施形態で説明した処理を実現させるソフトウェア（プログラムまたはデータ等を含む）を実装することにより実現してもよい。
【００８８】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。  
【符号の説明】
【００８９】
１００  切断シミュレーション装置
１０２  制御部
１０２ａ  在庫データ処理部
１０２ｂ  受注データ処理部
１０２ｃ  シミュレーション処理部
１０２ｄ  受入データ作成部
１０２ｅ  払出データ作成部
１０２ｆ  残材データ作成部
１０２ｇ  画面表示制御部
１０４  通信インターフェース部
１０６  記憶部
１０６ａ  在庫データファイル
１０６ｂ  受注データファイル
１０６ｃ  受入データファイル
１０６ｄ  払出データファイル
１０６ｅ  残材データファイル
１０８  入出力インターフェース部
１１２  入力装置
１１４  出力装置
２００  サーバ
３００  ネットワーク
【図１】
2020166678.tif 000003
【図２】
2020166678.tif 000004
【図３】
2020166678.tif 000005
【図４】
2020166678.tif 000006
【図５】
2020166678.tif 000007
【図６】
2020166678.tif 000008
【図７】
2020166678.tif 000009
【図８】
2020166678.tif 000010